(57)【要約】【課題】  帯を切らず、縫わず、自分に合った胴回り寸法で好みの大きさの一重太鼓と二重太鼓の作り帯が出来、一度作れば繰り返し使うことができる上に手結びでも、従来の畳んで作る作り帯でも、ある程度の長さを補うことが出来るので、お太鼓結びには短かった帯が使えるようになる可能性が広がる等、部分使いでも活用幅のある万能お太鼓作り帯板セットを提供する。【解決手段】  自分のサイズに合った、お太鼓の骨格を組み立ててから、好みの帯枕を固定し、帯を畳込む課程で挟まって行くようにセットされていく帯結具であり、帯の長さの過不足分も、各帯板の帯通し穴を利用して、長ければ挟み込んで押さえ、短ければ長さを補い、さらには、作り帯だけではなく、手結びにしても活用幅があることを特徴とする万能お太鼓作り帯板セット。【選択図】図５７
2020056141.tif 000002
【特許請求の範囲】
【請求項１】
帯枕を固定するための紐を通す穴を四箇所と、帯枕高さ調整板の差込み穴に引っ掛ける部分を持った帯枕固定板で、固定した帯枕を高さを三段階から選ぶことが出来る差込み穴と、お太鼓用後帯板に差込む部分を持った帯枕高さ調整板で、好みの高さに安定させ、帯が帯幅のまま通る四段の横穴を持ち、作り帯専用板とゴム付きボタンのゴムを通して繋げるための穴を二箇所持ったお太鼓用後帯板で、帯丈の過不足を調整しながらお太鼓部分を作り、出来たお太鼓部分から胴回りの帯へと切り替える為の半幅が通る五つの竪穴と切り替え部分で畳みこまれた所を押さえ込む部分と、ゴム付きボタンのゴムが通る二つの穴を持った作り帯専用板で、帯丈を無駄にすることなく胴回りの帯へと流れを変え半幅に整え、その半幅の帯が通る穴と、出来た作り帯お太鼓の装着時の引き締めを楽にするための引き紐を通せる穴を持った作り帯引締め板で構成された万能お太鼓作り帯板セット。
【発明の詳細な説明】
【技術分野】
【０００１】  本発明は、帯を切らず、縫わず、自分に合った胴回り寸法で好みの大きさの一重太鼓と二重太鼓の作り帯が出来、一度作れば繰り返し使うことができる上に手結びでも、従来の畳んで作る作り帯（非特許文献１）でも、ある程度の長さを補うことが出来るので、お太鼓結びには短かった帯が使えるようになる可能性が広がる等、部分使いでも活用幅のある万能お太鼓作り帯板セットに関するものである。
【背景技術】
【０００２】  従来、畳んで作る作り帯のお太鼓は、クリップを仮留めする方法（非特許文献１）と針と糸で縫いつける方法（非特許文献２）と、お太鼓と胴回りに切り分けて仕立てる方法がある。
また、短めの帯を使う場合には、手結びにしても、従来の畳んで作る作り帯にしても、胴回り分と手先分を除いた残りの長さで、出来る限りの大きさのお太鼓にするしかなく、最大限のお太鼓の大きさを確保するために、お太鼓の裾線からの最小折り上げ分約５ｃｍを確保して仮紐で押さえ、そのまま仮紐を胴回りの帯下に結び隠す方法と、直接縫い付ける方法がある。
逆に長すぎる帯の場合には、畳んで作る作り帯の時に、お太鼓から胴回りへと切り替わる部分で、余分な長さを畳込みクリップを仮留めする方法と、直接縫い付ける方法がある。
また手結びの時と同様に、お太鼓の裾線からの折り上げ部分で、余分な長さを畳込む方法がある。
【先行技術文献】
【非特許文献】
【０００３】
【非特許文献１】岩佐佳子著『結ばない帯結び』（株）日本ヴォーグ社  １９８３年１月２０日発行  Ｐ１２〜２２
【非特許文献２】和らく会著『切らずにできる着物の作り帯』（株）河出書房新社  ２０１６年４月３０日発行  Ｐ２０〜３０
【発明の概要】
【発明が解決しようとする課題】
【０００４】  そのため、次のような問題点があった。
（イ）クリップを仮留めする方法は、装着時に帯枕がずれやすく、クリップを仮留めしても、装着後にクリップを外す作業が、背中に手が回りづらい、体の硬い人や年配の人には身体に負担が生じる。
（ロ）針と糸で縫いつける方法は、帯生地に穴が出来る場合がある上に、硬い素材だと針を通すこと事態が難しい。
（ハ）お太鼓分と胴回り分に切り分けて仕立てる方法は、他の帯結びに活用できなくなると共に胴回り寸法に限りがあるので体型の変化に対応できない可能性も出てくる。
（ニ）短めの帯を使用する場合には、手結びにしても、従来の畳んで作る作り帯にしても、お太鼓部分に長さの不足分を持っていくしか無いので、お太鼓の裾線からの折り上げ分を約５ｃｍとし仮紐を使用したとしても、縫い付けたとしても、出来る限りの大きさのお太鼓で妥協するしかなく、帯の素材によっては、お太鼓の裾線に皺が目立ったり、仮紐が外れやすかったり、縫い付けても針目が目立ったりする。
（ホ）長過ぎる帯を使用する場合には、畳んで作る作り帯では、余分な長さをお太鼓から胴回りへと切り替わる部分で畳込む方法をとっているが、装着時の引き締め過ぎで、伸びて出できてしまったり、縫い付けている場合には糸が切れたれする。
また、手結びのお太鼓の場合に、お太鼓の裾線の折り上げ部分に畳込む方法だと、薄く張りの無い帯の時には、帯締めを締める前に手先を重ねて整えてもクタクタと折り上げ分がずれ落ち、お太鼓の形がゆがみやすくなってしまう。
本発明は、これらの問題点を解決するためになされたものである。
【課題を解決するための手段】
【０００５】（イ）帯枕固定板と帯枕高さ調整板を使って、好みの帯枕をお太鼓用後帯板に固定し、クリップの仮留めの必要を無くす。
（ロ）作り帯を畳んで作っていく過程で、万能お太鼓作り帯板セットを使用して、畳んだ状態を押さえ、さらに補助道具も併用し、しっかりと固定して、針で縫う必要を無くす。
（ハ）上記（ロ）により、切り分けて仕立てる必要を無くし、他の帯結びができるようにする。
（ニ）短めの帯を使用する場合には、手結びでも、従来の畳んで作る作り帯でも、お太鼓用後帯板を使い、長さ不足を解消し、少ない折り上げ分でも、すっきりとしたお太鼓の裾線が出来るようにし、小さいお太鼓に妥協すること無く、帯の素材を選ぶことなく、裾線のきれいなお太鼓ができるようにする。
さらに作り帯専用板（畳んで作る作り帯専用）でお太鼓から胴回りの帯へと過不足なく流れを変えると、残りの帯の長さを余すこと無く全て、胴回り分に使えるようになるので、長さの無駄遣いを無くすことができる。
また、作り帯引締め板（畳んで作る作り帯専用）を使えば、さらに長さを補えるので、長さ不足はほぼ解消される。
（ホ）長過ぎる帯を使用する場合には、畳んで作る作り帯では、余分な長さをお太鼓から胴回りへの切り替えの部分で作り帯専用板に通して畳込むことで、引き締め時に伸びて出てくることを無くす。
また、手結びでも畳んで作る作り帯でも、裾線からの折り上げ部分をお太鼓用後帯板に通して畳込むと、薄めで張りの無い帯でも、折り上げ分がしっかりと押えられ、クタクタとずれ落ちることが無くなり、お太鼓のかたちがしっかりする。
以上のように構成された万能お太鼓作り帯板セットである。
【発明の効果】
【０００６】（イ）帯枕固定板と帯枕高さ調整板を使って好みの帯枕をお太鼓用後帯板に固定することによって帯枕の位置がずれる心配が無くなり、クリップを仮留めしないので、はずすための体の負担がなくなり、自分の体に合った好みの帯枕を使うので、より手結びの帯と変わらぬ印象のお太鼓になった。
（ロ）作り帯を畳んで作っていく過程で、万能お太鼓作り帯板セットを使用することにより、畳んだ状態が押さえられ、補助道具を使えば、さらにしっかりと固定出来るので、縫い留めや仕立ての必要がなくなり、帯を痛める心配が無くなった。
（ハ）万能お太鼓作り帯板セットを使用した作り帯お太鼓は、一度作れば、そのまま繰り返し使用可能な上に、板を外せば元の帯に戻るので、他の帯結びにも使用することができるようになった。
（ニ）短めの帯を使用する場合には、手結びでも、従来の畳んで作る作り帯でも、お太鼓用後帯板が帯の長さ不足を補う役目を果たし、たとえ、お太鼓の裾線の折り上げが約５ｃｍでも仮紐を使うことなく裾線をきれいにしっかりと整えることが出来た。
また、畳んで作る作り帯では、胴回りの先とお太鼓裏との重なり分最低限約５ｃｍ確保できれば、作り帯引締め板で長さを補える上に、しっかりとした引き締めが出来るようになった。
（ホ）長過ぎる帯を使用する場合には、畳んで作る作り帯の時に、余分な長さをお太鼓から胴回りへの切り替えの部分で作り帯専用板に通して畳込むと、引き締め時に伸びて出てくることは無くなった。
それにより、お太鼓の膨らみ不足を補えるようにもなった。
また、手結びでも、畳んで作る作り帯でも、裾線からの折り上げ部分をお太鼓用後帯板に通して畳込むと、薄めで張りの無い帯でも、折り上げ分がしっかりと押えられ、クタクタとずれ落ちることがなくなり、お太鼓のかたちがしっかり出来た。
さらには、（ニ）の方法を使えば、一重太鼓用の長さの帯でも長さによっては、二重太鼓にできるようになる上に柄合わせも思うように出来るようになった。
例として、万能お太鼓作り帯板セットを使って畳んで作る作り帯を作ってみる。
全長３４８ｃｍの名古屋帯（全通柄）を使い、お太鼓の山から、たれ先まで３５ｃｍ、内たれ７ｃｍ、手先が帯幅から左右各３ｃｍ出るとし、胴回りにぐるりと一巻きして、お太鼓裏で約２０ｃｍ重なる分を取った状態とする。
一重太鼓を作った場合  胴回り寸法約１０３ｃｍ（重なり分２０ｃｍ除く）
作り帯引き締め板使用の場合  胴回り寸法約１１８ｃｍ（重なり分５ｃｍ除く）
二重太鼓を作った場合  胴回り寸法約７６ｃｍ（重なり分２０ｃｍ除く）
作り帯引き締め板使用の場合  胴回り寸法約９１ｃｍ（重なり分５ｃｍ除く）
【図面の簡単な説明】
【０００７】
【図１】本発明の帯枕固定板の表側の説明図である。
【図２】本発明の帯枕固定板の側面の説明図である。
【図３】本発明の帯枕固定板の裏側の説明図である。
【図４】本発明の帯枕高さ調整板の説明図である。
【図５】本発明のお太鼓用後帯板の説明図である。
【図６】本発明の作り帯専用板の説明図である。
【図７】本発明の作り帯引締め板の説明図である。
【図８】本発明の図１を図４のｃにセットした説明図である。
【図９】本発明の図１を図４のｂにセットした説明図である。
【図１０】本発明の図１を図４のａにセットした説明図である。
【図１１】本発明の図５に図９をセットした説明図である。
【図１２】帯枕にガーゼと帯揚げを巻いた説明図である。
【図１３】本発明の図１１に図１２をセットした説明図である。
【図１４】短め袋帯で二重太鼓を畳む、簡単編の説明図である。
【図１５】短め袋帯で二重太鼓を畳む、簡単編の説明図である。
【図１６】短め袋帯で二重太鼓を畳む、簡単編の説明図である。
【図１７】二重太鼓を畳む（折り上げＣ〜裾線）簡単編の説明図である。
【図１８】二重太鼓を畳む（折り上げＣ〜裾線）簡単編の説明図である。
【図１９】二重太鼓を畳む（折り上げＣ〜裾線）簡単編の説明図である。
【図２０】二重太鼓を畳む（折り上げＢ〜裾線）簡単編の説明図である。
【図２１】二重太鼓を畳む（折り上げＢ〜裾線）簡単編の説明図である。
【図２２】二重太鼓を畳む（折り上げＢ〜裾線）簡単編の説明図である。
【図２３】二重太鼓を畳む（折り上げＡ〜裾線）簡単編の説明図である。
【図２４】二重太鼓を畳む（折り上げＡ〜裾線）簡単編の説明図である。
【図２５】二重太鼓を畳む（折り上げＡ〜裾線）簡単編の説明図である。
【図２６】短め袋帯で二重太鼓を畳む、しっかり編の説明図である。
【図２７】短め袋帯で二重太鼓を畳む、しっかり編の説明図である。
【図２８】短め袋帯で二重太鼓を畳む、しっかり編の説明図である。
【図２９】短い袋帯で二重太鼓を畳む、しっかり編の説明図である。
【図３０】二重太鼓を畳む（折り上げＢ〜裾線）しっかり編の説明図である。
【図３１】二重太鼓を畳む（折り上げＢ〜裾線）しっかり編の説明図である。
【図３２】二重太鼓を畳む（折り上げＢ〜裾線）しっかり編の説明図である。
【図３３】二重太鼓を畳む（折り上げＡ〜裾線）しっかり編の説明図である。
【図３４】二重太鼓を畳む（折り上げＡ〜裾線）しっかり編の説明図である。
【図３５】二重太鼓を畳む（折り上げＡ〜裾線）しっかり編の説明図である。
【図３６】短め名古屋帯で一重太鼓を畳む（折り上げＣ〜裾線）説明図である。
【図３７】短め名古屋帯で一重太鼓を畳む（折り上げＣ〜裾線）説明図である。
【図３８】短め名古屋帯で一重太鼓を畳む（折り上げＢ〜裾線）説明図である。
【図３９】短め名古屋帯で一重太鼓を畳む（折り上げＢ〜裾線）説明図である。
【図４０】短め名古屋帯で一重太鼓を畳む（折り上げＢ〜裾線）説明図である。
【図４１】短め名古屋帯で一重太鼓を畳む（折り上げＡ〜裾線）説明図である。
【図４２】短め名古屋帯で一重太鼓を畳む（折り上げＡ〜裾線）説明図である。
【図４３】短め名古屋帯で一重太鼓を畳む（折り上げＡ〜裾線）説明図である。
【図４４】本発明の図６を帯の手先に通している説明図である。
【図４５】本発明の図６で作り帯を畳んだ裏側の説明図である。
【図４６】本発明の図６で作り帯を畳んだ表側の説明図である。
【図４７】本発明の図７を胴回り分の帯先に通した説明図である。
【図４８】本発明の図７を使用して、引き締めている説明図である。
【図４９】本発明の図７を使用して、長い紐を付けた場合の説明図である。
【図５０】図１９の断面図で補助道具使用の説明図である。
【図５１】長めの帯での一重太鼓の断面図で補助道具使用の説明図てある。
【図５２】長めの帯での二重太鼓の断面図で補助道具使用の説明図てある。
【図５３】長い折り込み分を図６で調整した説明図である
【図５４】長い折り込み分を図６で調整した説明図である。
【図５５】長い折り込み分を胴回りの帯先で調整した説明図である。
【図５６】長い折り込み分を図７で調整した説明図である。
【図５７】万能作り帯板セット全てを使用した場合の説明図である。
【図５８】図６図７を使わずに手結びする場合の説明図である。
【図５９】図５のみ使用して手結びする場合の説明図である。
【図６０】図５９を手結びしている説明図である。
【発明を実施するための形態】
【０００８】  以下、本発明の実施の形態について説明する。
お太鼓の作り帯で失敗しやすい点は「角ばって、背中から浮いて見えやすいこと」である。
そこで、お太鼓の山（１４−３）（３６−３）の表情は各自の体格や好みに合わせられるように帯枕（１２−１）の取り変えが出来るようにし、お太鼓の裾線（１４−１）（３６−１）は体の丸みに添ってぴったりと付くようにお太鼓用後帯板（５）の角をカットした。
素材選びで注意した点は、「体の丸みに添う柔らかさと薄さと強度」である。
そこでＰＰシートをカットして、利用することにした。
図１〜５は、お太鼓部分を作るための帯枕固定板（１）と帯枕高さ調整板（４）とお太鼓用後帯板（５）である。
帯枕固定板は（１）一般的な帯枕（１２−１）の背面に隠れるサイズとし、紐通し穴（１−２）を四箇所と好みの高さに引っ掛ける部分（１−１）を持っている。
帯枕高さ調整板（４）の上三段の差込み穴（ａ〜ｃ）の中から適当な高さの差込み穴を選び差込み、お太鼓用後帯板（５）にセットすると好みの大きさのお太鼓の骨格が出来上がる。
差込み穴下一つ（ｄ）は帯枕固定板（１）の差し込んだ先をしっかりと押さえるためのものである。
太鼓用後帯板（５）に設けた帯幅の四箇所の帯通し穴（Ａ〜Ｄ）を駆使して、自分サイズに必要な帯の長さと使いたい帯の長さの過不足分をしっかりと整えながら、お太鼓部分を作り上げる。（図１４〜５４）
図６は、お太鼓部分の帯から胴回りの帯へと流れを変える役割を担う作り帯専用板（６）で図７は、胴回りの帯の長さ不足を補うとともに引き締め効果をあげるための作り帯引き締め板（７）である。
作り帯専用板（６）を使えば、帯のあそび分が必要最低限になるため、お太鼓部分に要した帯の長さの残りで、最大限の胴回り寸法を引き出すことが出来るので短めの帯を存分に活用できるようになる。（図４４〜４６）
逆に長めの帯の場合には、長過ぎる分をお太鼓裏に畳込み押さえるようにも使用できる。（図５３〜５４）
さらに、作り帯引き締め板（７）を使用することによって、より長さを補うことが出来る上に、紐を通して使うことによって、体に負担なく、手の届きやすいところでしっかりと引き締めることができるようになる。（図４７〜４９）
逆に長すぎる分を胴回りの帯先で折り込み調整するようにも使用出来る。（図５６）
一度作った作り帯お太鼓を繰り返し使用する場合には、補助道具のバインダークリップ（５−４）でお太鼓用後帯板（５）と帯をしっかりと固定すれば、着脱時の型崩れを防ぐことが出来る。（図５０〜５２）
また、作り帯専用板（６）と作り帯引締め板（７）を使用せずに、お太鼓部分のみの作り帯として使えば、仮紐や仮留めクリップが無くても、従来通りの手結びのお太鼓を結ぶことが出来る。（図５８）
さらには、帯枕固定板（１）と帯枕高さ調整板（４）を使用せずに、お太鼓専用後帯板（５）のみを帯の長さ調整の為だけに使用して、従来通りの手結びのお太鼓結びに利用することも出来る。（図５９〜６０））
本発明は以上のような構成である。
本発明を使用するときは、使いたい帯の全長と理想とするお太鼓の各寸法と着物を着て帯板をした状態の胴回り寸法を明確にして、自分のサイズに合った自分好みのお太鼓に必要な、およその帯の長さを明確にしておくと、作っていく過程がスムーズである。
また、近年、人気のアンティーク帯等は短めのものが多く、手結びでは柄合わせが出来ない上に、生地が弱っていて糸切れが出てくることもあるので、是非、この万能お太鼓作り帯板セットの使用をおすすめしたい。
【符号の説明】
【０００９】    １帯枕固定板
１−１引っ掛け
１−２紐通し穴
１−３紐
１−４帯枕高さ調整板に差込む部分
２帯枕固定板（１）側面
３帯枕固定板（１）裏面
４帯枕高さ調整板
４−１帯枕固定板（１）差込み穴
ａ差込み穴一段目
ｂ差込み穴二段目
ｃ差込み穴三段目
ｄ差込み穴四段目
４−２お太鼓用後帯板（５）に差込む部分
５お太鼓用後帯板
５−１帯通し穴Ａ〜Ｄ
Ａ帯通し穴一段目
Ｂ帯通し穴二段目
Ｃ帯通し穴三段目
Ｄ帯通し穴四段目
５−２帯枕高さ調整板（４）差込み穴
Ｒ１右側の差込み穴一つ目
Ｒ２右側の差込み穴二つ目
Ｒ２右側の差込み穴三つ目
Ｌ１左側の差込み穴一つ目
Ｌ２左側の差込み穴二つ目
Ｌ３左側の差込み穴三つ目
５−３ボタン付きゴム通し穴
５−４補助道具のバインダークリップ
６作り帯専用板
６−１畳込み押さえ板
６−２帯通し穴
ｓ  真ん中の帯通し穴
ｒ１右側の帯通し穴一つ目
ｒ２右側の帯通し穴二つ目
ｌ１左側の帯通し穴一つ目
ｌ２左側の帯通し穴二つ目
６−３ボタン付きゴム通し穴
６−４ボタン付きゴム
７作り帯引締め板
７−１帯通し穴
７−２紐通し穴
８帯枕高さ調整板（４）三段目にセットした帯枕固定板（１）
９帯枕高さ調整板（４）二段目にセットした帯枕固定板（１）
１０帯枕高さ調整板（４）の一段目にセットした帯枕固定板（１）
１１お太鼓用後帯板（５）にセットした（９）
１２帯枕一式
１２−１帯枕
１２−２帯用枕ガーゼ
１２−３帯揚げ
１３帯枕一式を固定したお太鼓の骨格
１４短め袋帯で畳む簡単編二重太鼓（例、帯通し穴Ｃ〜Ｄ使用）
１４−１袋帯お太鼓の裾線
１４−２袋帯お太鼓のたれ
１４−３袋帯お太鼓の山
１５短め袋帯で畳む簡単編二重太鼓（例、帯通し穴Ｃ〜Ｄ使用）
１６短め袋帯で畳む簡単編二重太鼓（例、帯通し穴Ｃ〜Ｄ使用）
１７袋帯で畳む簡単編二重太鼓（帯通し穴Ｃ〜Ｄ使用）
１８袋帯で畳む簡単編二重太鼓（帯通し穴Ｃ〜Ｄ使用）
１９袋帯で畳む簡単編二重太鼓（帯通し穴Ｃ〜Ｄ使用）
２０袋帯で畳む簡単編二重太鼓（帯通し穴Ｂ〜Ｄ使用）
２１袋帯で畳む簡単編二重太鼓（帯通し穴Ｂ〜Ｄ使用）
２２袋帯で畳む簡単編二重太鼓（帯通し穴Ｂ〜Ｄ使用）
２３袋帯で畳む簡単編二重太鼓（帯通し穴Ａ〜Ｄ使用）
２４袋帯で畳む簡単編二重太鼓（帯通し穴Ａ〜Ｄ使用）
２５袋帯で畳む簡単編二重太鼓（帯通し穴Ａ〜Ｄ使用）
２５−１裾線（１４−１）を押えるための仮紐
２６袋帯で畳むしっかり編二重太鼓（例、帯通し穴Ｂ〜Ｄ使用）
２７袋帯で畳むしっかり編二重太鼓（例、帯通し穴Ｂ〜Ｄ使用）
２８袋帯で畳むしっかり編二重太鼓（例、帯通し穴Ｂ〜Ｄ使用）
２９袋帯で畳むしっかり編二重太鼓（例、帯通し穴Ｂ〜Ｄ使用）
３０袋帯で畳むしっかり編二重太鼓（帯通し穴Ｂ〜Ｄ使用）
３１袋帯で畳むしっかり編二重太鼓（帯通し穴Ｂ〜Ｄ使用）
３２袋帯で畳むしっかり編二重太鼓（帯通し穴Ｂ〜Ｄ使用）
３３袋帯で畳むしっかり編二重太鼓（帯通し穴Ａ〜Ｄ使用）
３４袋帯で畳むしっかり編二重太鼓（帯通し穴Ａ〜Ｄ使用）
３５袋帯で畳むしっかり編二重太鼓（帯通し穴Ａ〜Ｄ使用）
３６短め名古屋帯で畳む一重太鼓（帯通し穴Ｄ〜Ｃ使用使用）
３６−１名古屋帯お太鼓の裾線
３６−２名古屋帯お太鼓のたれ
３６−３名古屋帯お太鼓の山
３７短め名古屋帯で畳む一重太鼓（帯通し穴Ｄ〜Ｃ使用）
３８短め名古屋帯で畳む一重太鼓（帯通し穴Ｄ〜Ｂ使用）
３９短め名古屋帯で畳む一重太鼓（帯通し穴Ｄ〜Ｂ使用）
４０短め名古屋帯で畳む一重太鼓（帯通し穴Ｄ〜Ｂ使用）
４１短め名古屋帯で畳む一重太鼓（帯通し穴Ｄ〜Ａ使用）
４２短め名古屋帯で畳む一重太鼓（帯通し穴Ｄ〜Ａ使用）
４３短め名古屋帯で畳む一重太鼓（帯通し穴Ｄ〜Ａ使用）
４４帯（袋帯名古屋帯共通）を通している作り帯板（６）
４４−１手先（袋帯名古屋帯共通）
４４−２お太鼓（袋帯名古屋帯共通）
４５作り帯専用板（６）とお太鼓用後帯板（５）で畳んだ（４４−２）裏側
４６作り帯専用板（６）とお太鼓用後帯板（５）で畳んだ（４４−２）表側
４７帯（袋帯名古屋帯共通）を通した作り帯板引締め板（７）
４７−１紐  引っ張る紐
４８作り帯板引締め板（７）の短い紐での使い方
４９作り帯板引締め板（７）の長い紐での使い方
４９−１紐  引っ張ってからそのまま帯下に隠す紐
５０短い帯での二重太鼓（１９）の断面図（１３使用）
５０−１手先の断面図
５１長い帯での一重太鼓の断面図（１３使用）
５１−１松葉仕立ての手先の断面図
５２長い帯での二重太鼓の断面図（１３使用）
５３胴回りの帯への切り替え部分での長い折り込み分の整え方（６使用）
５４胴回りの帯への切り替え部分での長い折り込み分の整え方（６使用）
５５胴回りの帯先での長い折り込み分の整え方
５５−１仮留め用のクリップ
５６胴回りの帯先での長い折り込み分の整え方（７使用）
５７万能作り帯板セット全て使用の作り帯お太鼓
５８お太鼓部分のみ作り帯の手結び用お太鼓
５９お太鼓用後帯板のみ使用した手結び用お太鼓
６０手結びで（５９）を結んでいる様子
【図１】
2020056141.tif 000003
【図２】
2020056141.tif 000004
【図３】
2020056141.tif 000005
【図４】
2020056141.tif 000006
【図５】
2020056141.tif 000007
【図６】
2020056141.tif 000008
【図７】
2020056141.tif 000009
【図８】
2020056141.tif 000010
【図９】
2020056141.tif 000011
【図１０】
2020056141.tif 000012
【図１１】
2020056141.tif 000013
【図１２】
2020056141.tif 000014
【図１３】
2020056141.tif 000015
【図１４】
2020056141.tif 000016
【図１５】
2020056141.tif 000017
【図１６】
2020056141.tif 000018
【図１７】
2020056141.tif 000019
【図１８】
2020056141.tif 000020
【図１９】
2020056141.tif 000021
【図２０】
2020056141.tif 000022
【図２１】
2020056141.tif 000023
【図２２】
2020056141.tif 000024
【図２３】
2020056141.tif 000025
【図２４】
2020056141.tif 000026
【図２５】
2020056141.tif 000027
【図２６】
2020056141.tif 000028
【図２７】
2020056141.tif 000029
【図２８】
2020056141.tif 000030
【図２９】
2020056141.tif 000031
【図３０】
2020056141.tif 000032
【図３１】
2020056141.tif 000033
【図３２】
2020056141.tif 000034
【図３３】
2020056141.tif 000035
【図３４】
2020056141.tif 000036
【図３５】
2020056141.tif 000037
【図３６】
2020056141.tif 000038
【図３７】
2020056141.tif 000039
【図３８】
2020056141.tif 000040
【図３９】
2020056141.tif 000041
【図４０】
2020056141.tif 000042
【図４１】
2020056141.tif 000043
【図４２】
2020056141.tif 000044
【図４３】
2020056141.tif 000045
【図４４】
2020056141.tif 000046
【図４５】
2020056141.tif 000047
【図４６】
2020056141.tif 000048
【図４７】
2020056141.tif 000049
【図４８】
2020056141.tif 000050
【図４９】
2020056141.tif 000051
【図５０】
2020056141.tif 000052
【図５１】
2020056141.tif 000053
【図５２】
2020056141.tif 000054
【図５３】
2020056141.tif 000055
【図５４】
2020056141.tif 000056
【図５５】
2020056141.tif 000057
【図５６】
2020056141.tif 000058
【図５７】
2020056141.tif 000059
【図５８】
2020056141.tif 000060
【図５９】
2020056141.tif 000061
【図６０】
2020056141.tif 000062